(57)【特許請求の範囲】
【請求項１】
照明器具の一部又は全体が可動できる機能を有し、光源の点滅制御用の第１のマイクロコンピュータと、可動制御用の第２のマイクロコンピュータが搭載され、第１及び第２のマイクロコンピュータの間には通信手段が設けられており、可動部に異常が生じた場合には第２のマイクロコンピュータから第１のマイクロコンピュータへ異常を知らせ、それにより第１のマイクロコンピュータは光源を消灯制御させる機能を備える照明装置において、
第２のマイクロコンピュータは、第１のマイクロコンピュータとの間で光源の可動制御用のデータを送受するデータ転送機能を備え、
第１のマイクロコンピュータは、データのバックアップを行うための外部記憶回路と、第２のマイクロコンピュータとの間で光源の可動制御用のデータを送受するデータ転送機能と、電源の遮断を検出する機能と、電源の遮断を検出したときに第２のマイクロコンピュータから光源の可動制御用のデータを転送させて光源の点滅制御用のデータと共に外部記憶回路に書き込むデータバックアップ機能とを備えることを特徴とする記憶回路付き照明装置。
【請求項２】
照明器具の一部又は全体が可動できる機能を有し、光源の点滅制御用の第１のマイクロコンピュータと、可動制御用の第２のマイクロコンピュータが搭載され、第１及び第２のマイクロコンピュータの間には通信手段が設けられており、可動部に異常が生じた場合には第２のマイクロコンピュータから第１のマイクロコンピュータへ異常を知らせ、それにより第１のマイクロコンピュータは光源を消灯制御させる機能を備える照明装置において、
第２のマイクロコンピュータは、光源の可動制御用のデータが変更されたときに変更後のデータを第１のマイクロコンピュータに送信するデータ転送機能を備え、
第１のマイクロコンピュータは、データのバックアップを行うための外部記憶回路と、第２のマイクロコンピュータとの間で光源の可動制御用のデータを送受するデータ転送機能と、電源の遮断を検出する機能と、第２のマイクロコンピュータから転送された光源の可動制御用のデータを電源の遮断を検出したときに光源の点滅制御用のデータと共に外部記憶回路に書き込むデータバックアップ機能とを備えることを特徴とする記憶回路付き照明装置。
【発明の詳細な説明】
【０００１】
【産業上の利用分野】
本発明は複数個の制御用マイクロコンピュータが搭載された照明装置に関するものであり、例えば、リモコン付き照明装置に利用されるものである。
【０００２】
【従来の技術】
従来のリモコン付き照明装置の概略構成を図４に示した。図中、７は器具本体であり、上部に光源Ａ、内部に光源Ｂを備えている。また、下部に光源Ｃを備える可動部８を有している。この装置は、赤外線等のリモートコントロールにより光源Ａ〜Ｃの点滅制御及び可動部８の昇降制御を行える可動機能付きリモコン照明装置である。光源Ａは例えば白熱灯により構成され、天井面を照らすアッパー光として利用される。また、光源Ｂは蛍光灯であり、部屋全体を明るくする。さらに、光源Ｃは白熱灯等が用いられ、例えばテーブル面の明るさが調整できるように昇降制御が行える可動部８に取り付けられている。
【０００３】
このような照明装置には、図５に示すような制御回路が搭載されている。この回路は、光源Ａ〜Ｃの制御をマイクロコンピュータ１が、可動部８の制御をマイクロコンピュータ２が行うように構成されており、受光部９で受けたリモコン信号が光源Ａ〜Ｃの制御に関するものであれば、マイクロコンピュータ１がそれを解読して点灯回路１１〜１３により光源Ａ〜Ｃの制御が行われ、前記リモコン信号が可動部８の制御に関するものであれば、マイクロコンピュータ２が可動駆動部１０を制御するようになっている。また、マイクロコンピュータ１，２間には通信手段が設けられており、例えば、図４の可動部８に異常が生じた場合（可動部８と器具本体７の間に何かが挟まって可動部８が動作しなくなった場合など）において、マイクロコンピュータ２からマイクロコンピュータ１へ異常を知らせ、それによりマイクロコンピュータ１は安全性向上のために、例えば光源Ａ〜Ｃを消灯させることができるようになっている。
【０００４】
更に、光源Ａ〜Ｃの点灯状態及び可動用照明器具の位置をある特定のシーンパターンとして記憶し、再現できるように、マイクロコンピュータ１、２には各々外部記憶装置として、不揮発性メモリであるＥＥＰＲＯＭ３ａ，３ｂが接続されている。従って、例えば電源が切られても、マイクロコンピュータ１、２のデータは各々ＥＥＰＲＯＭ３ａ，３ｂに記憶されるようになっているので、再び電源が投入されると、マイクロコンピュータ１、２は各々、ＥＥＰＲＯＭ３ａ，３ｂから必要なデータを読み込み、光源Ａ〜Ｃの点灯状態及び可動用器具の位置を再現することができる。
【０００５】
【発明が解決しようとする課題】
上述のような複数個の制御用マイクロコンピュータが搭載された照明装置においては、各マイクロコンピュータが各々ＥＥＰＲＯＭを有しているため、点灯制御回路が大型化したり、コストが高くなるという問題があった。
【０００６】
本発明は上述のような点に鑑みてなされたものであり、その目的とするところは、複数個の制御用マイクロコンピュータが搭載された照明装置において、各マイクロコンピュータの外部記憶装置として使用される不揮発性メモリの共用化を図ることにより、リモコン制御回路のコストを低減することにある。
【０００７】
【課題を解決するための手段】
本発明の記憶回路付き照明装置にあっては、前記の課題を解決するために、照明器具の一部又は全体が可動できる機能を有し、光源の点滅制御用の第１のマイクロコンピュータ１と、可動制御用の第２のマイクロコンピュータ２が搭載され、第１及び第２のマイクロコンピュータ１，２の間には通信手段が設けられており、可動部に異常が生じた場合には第２のマイクロコンピュータ２から第１のマイクロコンピュータ１へ異常を知らせ、それにより第１のマイクロコンピュータ１は光源を消灯制御させる機能を備える照明装置において、第２のマイクロコンピュータ２は、第１のマイクロコンピュータ１との間で光源の可動制御用のデータを送受するデータ転送機能を備え、第１のマイクロコンピュータ１は、データのバックアップを行うための外部記憶回路３と、第２のマイクロコンピュータ２との間で光源の可動制御用のデータを送受するデータ転送機能と、電源の遮断を検出する機能と、電源の遮断を検出したときに第２のマイクロコンピュータ２から光源の可動制御用のデータを転送させて光源の点滅制御用のデータと共に外部記憶回路３に書き込むデータバックアップ機能とを備えることを特徴とするものである。また、第２のマイクロコンピュータ２は光源Ａ〜Ｃの可動制御用のデータが変更されたときに変更後のデータを第１のマイクロコンピュータ１に送信するようにしても良い。
【０００８】
【作用】
本発明によれば、光源の可動制御用のデータが変更されたとき、または、電源の遮断を検出したときに、第２のマイクロコンピュータ２から第１のマイクロコンピュータ１に光源の可動制御用のデータを転送させて、電源遮断時には光源の点滅制御用のデータと共に共通の外部記憶回路３に書き込むようにしたので、点灯制御回路を小型化できると共に、コストを低減できるものである。
【０００９】
【実施例】
図３は本発明の一実施例の要部構成を示すブロック図である。本実施例では、マイクロコンピュータ１，２の外部記憶装置（例えばＥＥＰＲＯＭ３）を共通化したものであり、マイクロコンピュータ１は電源がＯＦＦされたときに、それを検出して、データをＥＥＰＲＯＭに書き込みにいくようになっている。なお、当然、マイクロコンピュータ１，２の電源は商用電源がＯＦＦとなっても、一定期間電源が保持され、ＥＥＰＲＯＭ３への書き込みが可能となっている。これは、高容量の電解コンデンサ等により容易に達成される。
【００１０】
本実施例において、ＥＥＰＲＯＭ３はマイクロコンピュータ１との間でデータの書き込み、読み出しが行われるものであるが、このとき、マイクロコンピュータ２は可動部の位置データが変化する毎に、マイクロコンピュータ１へそのデータを転送するようになっている。すなわち、マイクロコンピュータ１はマイクロコンピュータ２の有する可動部８の位置データを常に保持しており、ＥＥＰＲＯＭ３へ書き込む場合は、マイクロコンピュータ１から光源Ａ〜Ｃ及び可動部８の位置データを書き込むようにしている。ＥＥＰＲＯＭ３からデータを読み出す場合も一旦マイクロコンピュータ１が読み出し、位置データに関するデータのみを、マイクロコンピュータ２に転送するように処理される。このような処理を行うことにより、複数個のマイクロコンピュータのデータ記憶を１個のＥＥＰＲＯＭ３で行うことが可能となる。
【００１１】
図１は電源ＯＦＦ時にＥＥＰＲＯＭ３へ書き込みに行く場合のフローの一例を示している。このフローは電源状態がＯＮである間は電源検出を行い、電源状態がＯＦＦになると、マイクロコンピュータ２からマイクロコンピュータ１へデータ転送を行い、その後、マイクロコンピュータ１からＥＥＰＲＯＭ３にデータの書き込みを行うことを示す。また、図２は可動部８の位置が変化する毎にデータ転送を行う場合のフローの一例を示している。このフローは可動部８の変化が有るか否かを判別し、可動部８の変化が有れば、マイクロコンピュータ２からマイクロコンピュータ１へデータ転送を行い、その後、電源状態がＯＮである間は電源検出を行い、電源状態がＯＦＦになると、マイクロコンピュータ１からＥＥＰＲＯＭ３にデータの書き込みを行うことを示す。
【００１２】
【発明の効果】
本発明によれば、上述のように、複数個のマイクロコンピュータのデータ記憶を１個のＥＥＰＲＯＭのような外部記憶回路で達成可能であるため、照明装置の小型化、低コスト化を達成することが可能になるという効果がある。また、照明器具の一部又は全体が可動できる機能を有し、光源の点滅制御用の第１のマイクロコンピュータと、可動制御用の第２のマイクロコンピュータの間には通信手段が設けられており、可動部に異常が生じた場合には第２のマイクロコンピュータから第１のマイクロコンピュータへ異常を知らせ、それにより第１のマイクロコンピュータは光源を消灯制御させる機能を備える照明装置において、光源の可動制御用のデータが変更されたとき、または、電源の遮断を検出したときに、第２のマイクロコンピュータから第１のマイクロコンピュータに光源の可動制御用のデータを転送させて、電源遮断時には光源の点滅制御用のデータと共に外部記憶回路に書き込むようにしたので、構成が簡単となり、安価に構成できるという効果がある。
【図面の簡単な説明】
【図１】本発明の第１の実施例の動作を説明するためのフローチャートである。
【図２】本発明の第２の実施例の動作を説明するためのフローチャートである。
【図３】本発明の第１及び第２の実施例の要部構成を示すブロック図である。
【図４】従来のリモコン付き照明装置の概略構成図である。
【図５】従来のリモコン付き照明装置のブロック回路図である。
【符号の説明】
１    マイクロコンピュータ
２    マイクロコンピュータ
３    ＥＥＰＲＯＭ
【図１】
0003546444.tif 000002
【図２】
0003546444.tif 000003
【図３】
0003546444.tif 000004
【図４】
0003546444.tif 000005
【図５】
0003546444.tif 000006